(57)【要約】【課題】  搬送波再生部のバンドパスフィルタを手動で切り換える手間を省き、簡便に取り付けることができるオフセットビートキャンセラを提供すること。【解決手段】  搬送波再生部７７には希望波に対して送信周波数が所定周波数オフセットされた妨害波を含む映像中間周波信号が入力する。また、第１フィルタ９２は映像搬送波の基準周波数（５８．７５ＭＨｚ）からオフセット周波数（１０．０１ｋＨｚ）分小さい周波数に相当する成分のみを通過させ、第２フィルタ９３は基準周波数に相当する成分を通過させ、第３フィルタ９４は基準周波数からオフセット周波数分大きい周波数に相当する成分を通過させる特性をもつ。そして、第１〜第３フィルタ９２〜９４からの出力信号レベルを制御部５０で検出し、その検出結果に基づき、希望波の映像搬送波が含まれる出力信号がＰＬＬ回路１０７に入力するように、スイッチ１０４〜１０６の開閉を制御する。【選択図】図５
2005045665.tif 000002
【特許請求の範囲】
【請求項１】
受信アンテナから入力される受信信号の中から、希望波に対して送信周波数が所定周波数オフセットされた妨害波を含む所定放送チャンネルのテレビ放送信号を選局して、該テレビ放送信号の映像中間周波信号を出力する選局手段と、
該選局手段から出力される映像中間周波信号から前記希望波の映像搬送波を生成する搬送波生成手段と、
該生成した映像搬送波を用いて前記映像中間周波信号を直交検波することにより、Ｉ信号およびＱ信号を生成する直交検波手段と、
該Ｑ信号から、該Ｉ信号に含まれる妨害波信号成分を抽出し、該妨害波信号成分を前記Ｉ信号から除去する妨害波除去手段と、
を備えたオフセットビートキャンセラであって、
前記搬送波生成手段は、前記映像中間周波信号の中から、映像搬送波の基準周波数の信号成分と該基準周波数から前記所定周波数オフセットされた周波数の信号成分とをそれぞれ選択的に通過させて出力する３つのバンドパスフィルタを備えると共に、該３つのバンドパスフィルタからの出力信号のレベルを検出し、該検出結果に基づき、該３つの出力信号の中で最もレベルが大きい出力信号を選択して、該選択した出力信号から前記映像搬送波を生成する、
ことを特徴とするオフセットビートキャンセラ。
【請求項２】
前記搬送波生成手段は、当該オフセットビートキャンセラが起動した後に、前記映像搬送波を生成するための前記出力信号を選択した場合には、それ以降、前記３つのバンドパスフィルタからの出力信号のレベルの検出を中止することを特徴とする請求項１に記載のオフセットビートキャンセラ。
【請求項３】
前記妨害波除去手段は、前記搬送波生成手段が前記映像搬送波を生成するための前記出力信号の周波数に応じて、前記妨害波信号成分と前記妨害波信号成分を含むＩ信号とを加算させるか、前記妨害波信号成分を含むＩ信号から前記妨害波信号成分を減算させるかを選択し、該選択結果に基づき、前記妨害波信号成分を前記Ｉ信号から除去する、
ことを特徴とする請求項１または請求項２に記載のオフセットビートキャンセラ。
【請求項４】
前記選局手段は、前記映像中間周波信号に加えて、音声信号を出力し、
当該オフセットビートキャンセラは、前記妨害波除去手段により妨害波信号成分を除去した映像信号と、前記音声信号とを出力する、
ことを特徴とする請求項１〜請求項３何れかに記載のオフセットビートキャンセラ。
【請求項５】
前記選局手段は、前記映像中間周波信号に加えて、音声中間周波信号を出力し、
当該オフセットビートキャンセラは、前記妨害波除去手段にて生成された映像信号と、前記選局手段から出力される音声中間周波信号とに基づき、所定放送チャンネルのテレビ放送信号を生成するテレビ放送信号生成手段を更に備える、
ことを特徴とする請求項１〜請求項３何れかに記載のオフセットビートキャンセラ。
【発明の詳細な説明】
【技術分野】
【０００１】
本発明は、受信アンテナにて受信したテレビ放送信号の中から、希望波に対して送信周波数が所定周波数オフセットされた妨害波信号成分を除去するオフセットビートキャンセラに関する。
【背景技術】
【０００２】
従来より、近接する地域で同一の放送チャンネルを利用したテレビ放送を行う際には、各テレビ放送信号の送信周波数に±１０．０１ｋＨｚのオフセットを設けて、テレビ受像器で映像信号を再生した際に画面に現れる縞模様（ビート）を目立たなくするようにしている。しかし、妨害波の量が多ければビートも顕著に現れることになるし、聴視者からはよりよい画質の要求がある。
【０００３】
そこで、近年では、こうしたビート障害を防止するために、ビート障害が発生する放送チャンネルのテレビ放送信号を所定周波数帯に周波数変換した映像中間周波信号（以下、映像ＩＦ信号ともいう）から、希望波の映像搬送波を抽出し、この映像搬送波を用いて映像ＩＦ信号を直交検波することにより、妨害波信号成分を含むＱ信号を生成し、更に、アナログフィルタを用いて、その生成したＱ信号から妨害波信号成分を抽出して、この妨害波信号成分を映像ＩＦ信号から除去するオフセットビートキャンセラが提案されている（例えば、特許文献１、特許文献２参照）。
【特許文献１】特開平８−９８０６１号公報
【特許文献２】特開平９−５５６７１号公報
【発明の開示】
【発明が解決しようとする課題】
【０００４】
上記提案のオフセットビートキャンセラにおいては、受信したテレビ放送信号を選局することにより得られる映像中間周波信号から妨害波信号成分を生成するために、映像中間周波信号から映像搬送波を再生し、その再生した映像搬送波を用いて映像中間周波信号を直交検波するが、映像中間周波信号から希望波の映像搬送波を再生する際、希望波の映像搬送波は受信地域に応じて、図１１に示すように３通りの周波数を取りうるため、希望波の映像搬送波周波数に対応した周波数帯域をもつバンドパスフィルタを用いる必要がある。
【０００５】
つまり、映像中間周波信号に含まれる希望波において、その映像搬送波周波数が、図１１（ａ）のように基準周波数ｆｉ（５８．７５ＭＨｚ）からオフセット周波数ｆｏ（１０．０１ｋＨｚ）分小さい場合と、図１１（ｂ）のように基準周波数ｆｉである場合と、図１１（ｃ）のように基準周波数ｆｉからオフセット周波数ｆｏ分大きい場合との３通りの周波数を取る可能性があり、希望波の映像搬送波周波数からオフセット周波数ｆｏシフトした周波数の映像搬送波をもつ妨害波を除去して希望波の映像搬送波を再生するために、図１１（ａ）〜（ｃ）に示すように、希望波の映像搬送波周波数に対応した周波数帯域をもつバンドパスフィルタを用いる必要がある。
【０００６】
そして、オフセットビートキャンセラには図１１に示すような３通りの周波数に対応した３つのバンドパスフィルタが備えられており、従来より、オフセットビートキャンセラの取り付け時には、希望波の映像搬送波周波数に応じて３つのバンドパスフィルタの中から使用するバンドパスフィルタを取付作業者が手動で切り換えていた。
【０００７】
しかし、オフセットビートキャンセラを取り付ける際に、受信地域に応じてどのバンドパスフィルタを用いるべきかを調べ、さらに手動で切り換える必要があったので、取り付けに手間がかかった。
【０００８】
本発明は、こうした問題に鑑みなされたものであり、バンドパスフィルタを手動で切り換える手間を省き、簡便に取り付けることができるオフセットビートキャンセラを提供することを目的とする。
【課題を解決するための手段】
【０００９】
かかる目的を達成するためになされた請求項１記載の発明は、受信アンテナから入力される受信信号の中から、希望波に対して送信周波数が所定周波数オフセットされた妨害波を含む所定放送チャンネルのテレビ放送信号を選局して、該テレビ放送信号の映像中間周波信号を出力する選局手段と、該選局手段から出力される映像中間周波信号から前記希望波の映像搬送波を生成する搬送波生成手段と、該生成した映像搬送波を用いて前記映像中間周波信号を直交検波することにより、Ｉ信号およびＱ信号を生成する直交検波手段と、該Ｑ信号から、該Ｉ信号に含まれる妨害波信号成分を抽出し、該妨害波信号成分を前記Ｉ信号から除去する妨害波除去手段と、を備えたオフセットビートキャンセラであって、前記搬送波生成手段は、前記映像中間周波信号の中から、映像搬送波の基準周波数の信号成分と該基準周波数から前記所定周波数オフセットされた周波数の信号成分とをそれぞれ選択的に通過させて出力する３つのバンドパスフィルタを備えると共に、該３つのバンドパスフィルタからの出力信号のレベルを検出し、該検出結果に基づき、該３つの出力信号の中で最もレベルが大きい出力信号を選択して、該選択した出力信号から前記映像搬送波を生成することを特徴とする。
【００１０】
つまり、通常、希望波の信号レベルは妨害波の信号レベルより１０ｄＢ以上大きくなっており、最も大きい信号レベルの出力信号に希望波の映像搬送波が含まれる。
そこで、本発明では、搬送波生成手段が、映像中間周波信号の中から、映像搬送波の基準周波数の信号成分と基準周波数から所定周波数オフセットされた周波数の信号成分とをそれぞれ選択的に通過させて出力する３つのバンドパスフィルタの出力信号のレベルを検出し、その検出結果に基づき、３つの出力信号の中で最もレベルが大きい出力信号から映像搬送波を生成するようにしているのである。
【００１１】
そして、このようにすれば、オフセットビートキャンセラを取り付ける際に、取付作業者がバンドパスフィルタを手動で切り換えるという作業をする必要がないので、簡便にオフセットビートキャンセラを取り付けることができる。
【００１２】
また、搬送波生成手段は、オフセットビートキャンセラが動作中に常時、３つのバンドパスフィルタの出力信号のレベルを検出するようにしてもよいが、一旦希望波を出力するバンドパスフィルタを選択した後は通常、受信地域が変わらない限り、バンドパスフィルタの選択を変更することはない。そこで請求項２に記載のように、搬送波生成手段は、オフセットビートキャンセラが起動した後に、映像搬送波を生成するための前記出力信号を選択した場合には、それ以降、３つのバンドパスフィルタからの出力信号のレベルの検出を中止するようにするとよい。
【００１３】
そして、このようにすれば、搬送波生成手段が無駄にバンドパスフィルタの出力信号のレベルを検出することを抑え、オフセットビートキャンセラが実行する処理の負荷とその処理にかかる消費電力とを低減することができる。
【００１４】
なお、希望波の映像搬送波の周波数に対する、妨害波の映像搬送波のオフセット周波数偏差の絶対値が同じ場合であっても、その正負が異なる場合には、妨害波除去手段において、極性のみが異なる妨害波信号成分が得られるため、妨害波信号成分をＩ信号から除去する際には、妨害波信号成分の極性の正負に応じて、妨害波信号成分とＩ信号とを加算するか減算するかを選択する必要がある。
【００１５】
そこで、オフセットビートキャンセラに、加算か減算を選択するための指示を入力するためのスイッチを備え、そのスイッチにおける指示に従って妨害波除去手段は加算か減算を選択するように構成し、取付作業者はテレビ画面からビートが消えるようにスイッチを加算か減算かの何れかに切り換えるようにしてもよいが、図１１（ａ）に示すように希望波の映像搬送波周波数が基準周波数からオフセット周波数分小さい場合には、妨害波の映像搬送波周波数は希望波の映像搬送波周波数に対して必ず正側にあり、一方、図１１（ｃ）に示すように希望波の映像搬送波周波数が基準周波数からオフセット周波数分大きい場合には、妨害波の映像搬送波周波数は希望波の映像搬送波周波数に対して必ず負側にある。
【００１６】
そこで、本発明では、請求項３に記載のように、妨害波除去手段は、搬送波生成手段が映像搬送波を生成するための出力信号の周波数に応じて、妨害波信号成分と妨害波信号成分を含むＩ信号とを加算させるか、妨害波信号成分を含むＩ信号から妨害波信号成分を減算させるかを選択し、その選択結果に基づき、妨害波信号成分をＩ信号から除去するようにしてもよい。
【００１７】
そして、このようにすれば、希望波の映像搬送波周波数が基準周波数からオフセット周波数ずれている受信地域でオフセットビートキャンセラを使用する際には、加算するか減算の設定を取付作業者が行う必要がなくなり、設定の手間を減らすことができる。
【００１８】
また、請求項１〜請求項３何れかに記載のオフセットビートキャンセラにおいて、請求項４に記載のように、選局手段は、映像中間周波信号に加えて、音声信号を出力し、当該オフセットビートキャンセラは、妨害波除去手段により妨害波信号成分を除去した映像信号と、音声信号とを出力するようにしてもよいし、請求項５に記載のように、選局手段は、映像中間周波信号に加えて、音声中間周波信号を出力し、妨害波除去手段にて生成された映像信号と、音声中間周波信号とに基づき、所定放送チャンネルのテレビ放送信号を生成するテレビ放送信号生成手段を更に備えていてもよい。
【００１９】
請求項４に記載のようにすれば、本発明のオフセットビートキャンセラに加え、映像信号と音声信号とを再生可能な装置を備えるのみで、使用者はテレビ放送を視聴することができる。また、本発明（請求項４）のオフセットビートキャンセラであれば、テレビ受像機等の外部に設置できるのみならず、テレビ受像機等に内蔵して、チューナとして使用することができる。
【００２０】
また、請求項５に記載のようにすれば、１つのオフセットビートキャンセラを用いて、オフセットビートキャンセラから出力されるテレビ放送信号を分配することにより、妨害波が除去されたテレビ放送信号を共同受信させることができる。
【発明を実施するための最良の形態】
【００２１】
（実施の形態１）
以下に本発明の実施の形態１を図面と共に説明する。
【００２２】
図１は本発明が適用された第１実施例のテレビ放送受信システム全体の構成を表わす概略構成図である。なお、本実施例のテレビ放送受信システムは日本国内用のものであり、以下に説明するＶＨＦ帯及びＵＨＦ帯のテレビ放送は、帯域幅が６ＭＨｚのＮＴＳＣ方式で行われるものとする。
【００２３】
図１に示す如く、本実施例のテレビ放送受信システムは、屋外に設置したアンテナからの受信信号を伝送線を介して建造物内の各部屋に伝送する共同受信システムであり、テレビ放送受信用の受信アンテナとして、地上局から送信されたＶＨＦ帯及びＵＨＦ帯の放送電波をそれぞれ受信するＶＨＦアンテナ２及びＵＨＦアンテナ４と、放送衛星（ＢＳ）や通信衛星（ＣＳ）からの送信電波を受信するＢＳ／ＣＳアンテナ６とを備える。
【００２４】
なお、ＢＳ／ＣＳアンテナ６は、反射鏡６ａと、支持腕を介して反射鏡６ａの焦点位置に配置された受信部６ｂとからなり、受信部６ｂに内蔵されたコンバータによって、受信信号をＢＳ／ＣＳ−ＩＦ信号に周波数変換（ダウンコンバート）して出力する。
【００２５】
そして、これら各受信アンテナ２〜６からの受信信号（ＶＨＦ受信信号、ＵＨＦ受信信号、ＢＳ／ＣＳ−ＩＦ信号）は、それぞれ、同軸ケーブルからなる伝送線を介して、ブースタ（増幅器）８まで伝送され、このブースタ８にて所定レベルまで増幅される。また、ブースタ８にて増幅された各受信信号（ＶＨＦ受信信号、ＵＨＦ受信信号、ＢＳ／ＣＳ−ＩＦ信号）は、ブースタ８内で混合されて、後段のオフセットビートキャンセラ２０ａに入力され、このオフセットビートキャンセラ２０ａから端末側の伝送線上に出力される。
【００２６】
また、端末側の伝送線には、分配器１０が接続されており、オフセットビートキャンセラ２０ａから出力された受信信号は、分配器１０にて複数系統（図では４系統）に分配され、更に、その分配された各系統の伝送線上に直列に接続された複数の直列ユニット１２を介して、各直列ユニット１２が設置された各部屋の受信端末１３まで伝送される。
【００２７】
次に、このオフセットビートキャンセラ２０ａの構成を図２を用いて詳しく説明する。
図２に示すように、オフセットビートキャンセラ２０ａは、ブースタ８から出力された受信信号を伝送線（同軸ケーブル）を介して入力するための入力端子Ｔｉｎと、受信信号を出力するための出力端子Ｔｏｕｔとを備える。
【００２８】
そして、入力端子Ｔｉｎに入力された受信信号の内、ＢＳ／ＣＳ−ＩＦ信号は、この信号のみを選択的に通過させるハイパスフィルタ（以下、ハイパスフィルタをＨＰＦと記載する）２４を介して内部に取り込まれ、ビートキャンセラ２０内に形成されたＢＳ／ＣＳ−ＩＦ信号用の通過経路、及び、出力端子Ｔｏｕｔ側に設けられたＨＰＦ２６を介して、出力端子Ｔｏｕｔまで伝送されて、出力端子Ｔｏｕｔから端末側に出力される。
【００２９】
また、入力端子Ｔｉｎに入力された受信信号の内、ＶＨＦ受信信号及びＵＨＦ受信信号は、ＶＨＦ及びＵＨＦ帯の受信信号のみを選択的に通過させるローパスフィルタ（以下、ローパスフィルタをＬＰＦと記載する）２２を介して内部に取り込まれ、分配回路２８にて２分配される。そして、この分配回路２８にて分配された一方の受信信号（ＶＨＦ・ＵＨＦ信号）は、ビートキャンセラ２０内に形成されたＶＨＦ・ＵＨＦ信号用の通過経路を介して、出力端子Ｔｏｕｔ側の混合回路４２まで伝送される。
【００３０】
一方、分配回路２８にて分配された他方の受信信号は、ＵＨＦ選局部３０に入力される。このＵＨＦ選局部３０は、制御部５０から選局チャンネル制御信号によって指定されたＵＨＦ帯で所定放送チャンネルのテレビ放送信号を選局して、映像搬送波が所定周波数（例えば、５８．７５ＭＨｚ）となる映像中間周波信号（映像ＩＦ信号）と、音声搬送波がＮＴＳＣ方式で規定された所定周波数（５．７５ＭＨｚ）となる音声中間周波信号（音声ＩＦ信号）とを出力する。なお、ＵＨＦ選局部３０は本発明の選局手段に相当する。
【００３１】
そして、ＵＨＦ選局部３０から出力された映像ＩＦ信号は、直交検波部３２に入力され、この直交検波部３２にて、映像ＩＦ信号に含まれる映像搬送波を用いて直交検波される。
【００３２】
また、この直交検波部３２で直交検波されたＩ信号とＱ信号とは、それぞれ、ビートキャンセル用のデジタル処理部３４に入力され、デジタル処理部３４にて、妨害波信号成分を除去したベースバンドの映像信号に変換される。
【００３３】
そして、この映像信号と、ＵＨＦ選局部３０から出力された音声ＩＦ信号とは、それぞれ、ＵＨＦ変調部３６に入力され、このＵＨＦ変調部３６にて、制御部５０から出力チャンネル制御信号によって指定された所定放送チャンネル（出力チャンネル）のＵＨＦ帯のテレビ放送信号に変換される。なお、ＵＨＦ変調部３６は、本発明のテレビ放送信号生成手段に相当する。
【００３４】
次に、このＵＨＦ変調部３６にて生成されたテレビ放送信号は、ＵＨＦ帯のテレビ放送信号のみを選択的に通過させるバンドパスフィルタ（以下、バンドパスフィルタをＢＰＦと記載する）３８を介して、ゲインコントロール（ＧＣ）用のボリュームＶＲを備えた増幅部４０に入力され、この増幅部４０にて所定レベルまで増幅された後、混合回路４２に入力される。
【００３５】
この結果、混合回路４２では、ＶＨＦ・ＵＨＦ信号用の通過経路を通過したＶＨＦ・ＵＨＦ信号とＵＨＦ変調部３６で生成された所定出力チャンネルのテレビ放送信号とが混合されることになる。
【００３６】
そして、この混合回路４２にて混合されたＶＨＦ・ＵＨＦ信号は、増幅回路４４にて所定レベルまで更に増幅された後、ＶＨＦ及びＵＨＦ帯の受信信号のみを選択的に通過させるＬＰＦ４６を介して、出力端子Ｔｏｕｔまで伝送され、出力端子Ｔｏｕｔから、ＢＳ／ＣＳ−ＩＦ信号と一緒に端末側に出力される。
【００３７】
ここで、本実施例の直交検波部３２は、映像ＩＦ信号から映像搬送波を再生し、この映像搬送波を用いて映像ＩＦ信号を直交検波することにより、Ｉ信号とＱ信号とを生成する。また、デジタル処理部３４は、Ｑ信号をデジタル処理することにより、Ｉ信号に含まれる妨害波信号成分を生成し、Ｉ信号からこの妨害波信号成分を除去する。
【００３８】
即ち、まず、本実施例の直交検波部３２は、図３に示すように、ＵＨＦ選局部３０から出力された映像ＩＦ信号を２分配する分配回路７０と、この分配回路７０にて分配された一方の映像ＩＦ信号を増幅する増幅回路７１と、増幅回路７１により増幅された映像ＩＦ信号を更に２分配する分配回路７２と、この分配回路７２にて分配された一方の映像ＩＦ信号の位相を９０度（π／２）移相させる移相器７４と、分配回路７２にて分配された他方の映像ＩＦ信号を移相器７４の動作時間分遅延させる遅延線７３と、遅延線７３及び移相器７４をそれぞれ通過した映像ＩＦ信号と後述の搬送波再生部７７で再生された映像搬送波とをそれぞれ混合することにより一対のミキサ７５及び７６と、を備える。
【００３９】
また、直交検波部３２には、初段の分配回路７０にて分配された他方の映像ＩＦ信号から映像搬送波を再生する搬送波再生部７７と、この搬送波再生部７７にて再生された映像搬送波を移相させる可変移相器７８と、この可変移相器７８を通過した映像搬送波を２分配して、上記各ミキサ７５、７６に出力する分配回路７９とが備えられている。なお、搬送波再生部７７は本発明の搬送波生成手段に相当する。
【００４０】
ここで、ミキサ７５、７６は、遅延線７３及び移相器７４をそれぞれ通過した映像ＩＦ信号と分配回路７９から入力される映像搬送波とをそれぞれ混合することにより、映像ＩＦ信号を直交検波するためのものである。つまり、ミキサ７５は、遅延線７３を通過した映像ＩＦ信号とこれと同相の映像搬送波とを混合することによりＩ信号を生成し、ミキサ７６は、移相器７４を通過した映像ＩＦ信号とこれよりも９０度（π／２）移相が進んだ映像搬送波とを混合することによりＱ信号を生成する。なお、ミキサ７５、７６は本発明の直交検波手段に相当する。
【００４１】
そして、これら各ミキサ７５、７６にて生成された同期検波後のＩ信号及びＱ信号は、それぞれ、その信号成分を選択的に通過させるＬＰＦ８１、８２を介して、増幅回路８３、８４に入力され、増幅回路８３、８４にて所定レベルまで増幅された後、デジタル処理部３４に出力される。
【００４２】
次に、本実施例のデジタル処理部３４は、Ｑ信号をデジタル処理することにより、Ｉ信号に含まれる妨害波信号成分を生成し、Ｉ信号からこの妨害波信号成分を除去するものであるが、映像ＩＦ信号に含まれる希望波映像信号をＡ（ｔ）、その搬送波（映像搬送波）をｃｏｓ（ωｔ）とし、妨害波映像信号をＢ（ｔ）、その搬送波（映像搬送波）をｃｏｓ｛（ω＋δ）ｔ＋Φ｝とした場合、映像ＩＦ信号は、
映像ＩＦ信号＝Ａ（ｔ）ｃｏｓ（ωｔ）
＋Ｂ（ｔ）ｃｏｓ｛（ω＋δ）ｔ＋Φ｝
と記述でき、直交検波後のＩ信号及びＱ信号は、それぞれ、
Ｉ信号＝Ａ（ｔ）＋Ｂ（ｔ）ｃｏｓ（δｔ＋Φ）
Ｑ信号＝Ｂ（ｔ）ｓｉｎ（δｔ＋Φ）
となることから、デジタル処理部３４では、Ｑ信号をデジタル処理することにより、Ｉ信号に含まれる妨害波信号成分である「Ｂ（ｔ）ｃｏｓ（δｔ＋Φ）」を生成し、この妨害波信号成分をＩ信号から除去するのである。
【００４３】
具体的には、再生したテレビ画像からビートを除去するには、映像信号の低域成分（周波数：０〜数十ｋＨｚ）に関して妨害波信号成分を除去できれば充分であることから、デジタル処理部３４では、図４に示すように、まず、Ｑ信号をＡ／Ｄ変換部６０を介してデジタルデータとして取り込み、その取り込んだＱ信号を、ＬＰＦとして機能するフィルタ部６２にてフィルタ処理することにより、Ｑ信号の低域成分のみを抽出し、ビート成分生成部６４にて、その抽出したＱ信号の低域成分から、上記妨害波信号成分「Ｂ（ｔ）ｃｏｓ（δｔ＋Φ）」を生成する。
【００４４】
また、デジタル処理部３４では、Ｉ信号をＡ／Ｄ変換部６１を介してデジタルデータとして取り込み、その取り込んだＩ信号を、ＬＰＦとして機能するフィルタ部６３と、ＨＰＦとして機能するフィルタ部６７とを用いて、Ｉ信号の低域成分と高域成分とに分離する。
【００４５】
そして、ビート成分生成部６４から出力される妨害波信号成分は、ビート成分生成部６４の処理動作によって、各フィルタ部６３、６７を通過したＩ信号の低域成分及び高域成分よりも遅れることから、フィルタ部６３、６７を通過したＩ信号の低域成分及び高域成分を、ビート成分生成部６４で生成された妨害波信号成分と同期させるために、Ｉ信号の低域成分及び高域成分を、それぞれ、遅延処理部６５、６８で遅延処理する。
【００４６】
また、減算処理部６６ａにて、遅延処理後のＩ信号の低域成分からビート成分生成部６４で生成された妨害波信号成分を減算する減算処理を行うとともに、加算処理部６６ｂにて、遅延処理後のＩ信号の低域成分からビート成分生成部６４で生成された妨害波信号成分を加算する加算処理を行う。
【００４７】
そして、減算処理部６６ａおよび加算処理部６６ｂの出力は夫々、スイッチ６６ｃおよびスイッチ６６ｄを介して加算処理部６９に入力される。尚、スイッチ６６ｃおよびスイッチ６６ｄは夫々、後述の加算・減算選択処理によって、制御部５０の第４入出力ポート５５ｄおよび第５入出力ポート５５ｅから出力される制御信号に基づき、スイッチ６６ｃおよびスイッチ６６ｄの何れか一方がＯＮするように制御される。
【００４８】
最後に、減算処理部６６ａまたは加算処理部６６ｂにて処理されたＩ信号の低域成分と、遅延処理後のＩ信号の高域成分とを加算処理部６９にて加算処理することにより、妨害波信号成分を除去した映像信号（詳しくは映像データ）を生成し、これをＤ／Ａ変換部６９ａにてアナログの映像信号に変換した後、ＢＰＦ３８に出力する。
【００４９】
従って、デジタル処理部３４からは、オフセットビート障害の原因となる妨害波信号成分を除去した映像信号が出力されることになり、しかも、デジタル処理部３４では、直交検波後のＩ信号及びＱ信号を一旦デジタルデータに変換してデジタル処理することにより、妨害波信号成分を除去した映像信号を生成することから、周囲温度の影響を受けることなく、妨害波信号成分を除去した映像信号を安定して生成することができる。なお、デジタル処理部３４は本発明の妨害波除去手段に相当する。
【００５０】
次に、オフセットビートキャンセラ２０ａには、ＵＨＦ変調部３６が生成するテレビ放送信号の放送チャンネル（出力チャンネル）を外部操作によって設定できるようにするために、出力チャンネル設定部４８が設けられている。
【００５１】
また、デジタル処理部３４にて妨害波信号成分を除去した映像信号を生成する際に、妨害波信号成分とＩ信号とを加算するか減算するかを外部操作によって設定できるようにするために、妨害波加減算設定部４９が設けられている。
【００５２】
そして、制御部５０は、マイクロコンピュータにて構成されており、出力チャンネル設定部４８から入力される出力チャンネルの設定指令に従い、ＵＨＦ変調部３６がテレビ放送信号を生成する際の放送チャンネル（出力チャンネル）を制御する。
【００５３】
また、ＵＨＦ選局部３０の選局チャンネルは、予めＥＥＰＲＯＭ５７に記憶されており、制御部５０は、ＵＨＦ選局部３０の選局チャンネルを、このＥＥＰＲＯＭ５７に記憶された選局チャンネルに固定する。
【００５４】
なお、オフセットビートキャンセラ２０ａには、図示しないＤＣアダプタ等から例えば直流１５Ｖの直流電源を供給するための電源入力端子Ｔｄｃが設けられており、上述した各内部回路には、この電源入力端子Ｔｄｃに供給された直流電源から上述した内部回路を動作させるための各種電源電圧を生成する電源部５９を介して、動作用の電源電圧を供給するようにされている。
【００５５】
次に、直交検波部３２における搬送波再生部７７の構成を、図５を用いて説明する。図５は、搬送波再生部７７の構成を表すブロック図である。
搬送波再生部７７は、増幅回路９０，分配回路９１，第１フィルタ９２，第２フィルタ９３，第３フィルタ９４，分配回路９５〜９７，検波回路９８〜１００，増幅回路１０１〜１０３，スイッチ１０４〜１０６，ＰＬＬ回路１０７，発振器１０８などで構成される。
【００５６】
増幅回路９０は、直交検波部３２の分配回路７０にて分配された映像ＩＦ信号を増幅する。
分配回路９１は、増幅回路９０により増幅された映像ＩＦ信号を３分配し、それぞれ第１フィルタ９２，第２フィルタ９３，第３フィルタ９４に出力する。
【００５７】
第１フィルタ９２は、図１１（ａ）の下段の図に示すように、映像搬送波の基準周波数ｆｉ（５８．７５ＭＨｚ）からオフセット周波数ｆｏ（１０．０１ｋＨｚ）分小さい周波数に相当する成分を通過させ、それ以外の周波数の成分を阻止する特性をもつクリスタル・フィルタである。
【００５８】
第２フィルタ９３は、図１１（ｂ）の下段の図に示すように、基準周波数ｆｉに相当する成分を通過させ、それ以外の周波数の成分を阻止する特性をもつクリスタル・フィルタである。
【００５９】
第３フィルタ９４は、図１１（ｃ）の下段の図に示すように、基準周波数ｆｉからオフセット周波数ｆｏ分大きい周波数に相当する成分を通過させ、それ以外の周波数の成分を阻止する特性をもつクリスタル・フィルタである。尚、第１フィルタ９２，第２フィルタ９３，第３フィルタ９４は、本発明の３つのバンドパスフィルタに相当する。
【００６０】
分配回路９５，９６，９７は夫々、第１フィルタ９２，第２フィルタ９３，第３フィルタ９４からの出力信号を２分配する。
検波回路９８，９９，１００は夫々、分配回路９５，９６，９７からの出力信号を検波する。
【００６１】
増幅回路１０１，１０２，１０３は夫々、検波回路９８，９９，１００からの出力信号を増幅し、制御部５０のＡ／Ｄ変換器５４に出力する。
スイッチ１０４，１０５，１０６は夫々、分配回路９５，９６，９７からＰＬＬ１０７へ至る経路を開閉する。尚、スイッチ１０４，１０５，１０６の開閉は制御部５０により制御される。
【００６２】
ＰＬＬ回路１０７は、スイッチ１０４，１０５，１０６を介して入力される信号を基準信号として、基準信号と周波数可変発振器１０８からの出力信号との位相が一致するように周波数可変発振器１０８の発振周波数を制御するためのものである。
【００６３】
周波数可変発振器１０８は、ＰＬＬ回路１０７から入力される信号の電圧値に応じた発振周波数の信号を出力する。
そして、制御部５０は、ＣＰＵ５１，ＲＯＭ５２，ＲＡＭ５３を中心とした周知のマイクロコンピュータにより構成されており、上記増幅回路１０１〜１０３からの信号はＡ／Ｄ変換器５４の第１Ａ／Ｄ入力ポート５４ａ，第２Ａ／Ｄ入力ポート５４ｂ，第３Ａ／Ｄ入力ポート５４ｃに入力される。またＣＰＵ５１は予めＲＯＭ５１に記憶されている制御プログラムを実行することにより、Ａ／Ｄ変換器５４に入力された信号のレベルを検出し、そのレベルに基づいて、スイッチ１０４〜１０６の１つを第１〜第３入出力ポート５５ａ〜５５ｃを介して、ＯＮ側に切り換えることにより、希望波の映像搬送波が含まれる信号をＰＬＬ回路１０７に入力させる。
【００６４】
次に、制御部５０のＣＰＵ５１が実行するフィルタ選択処理を図６を用いて説明する。図６はフィルタ選択処理を表すフローチャートである。
このフィルタ選択処理はオフセットビートキャンセラ２０ａが起動（電源ＯＮ）している間に繰り返し実行される処理である。
【００６５】
このフィルタ選択処理を実行すると、ＣＰＵ５１は、まずＳ１０にて、ＲＡＭ５３内に設けられた完了指示フラグＦｅがセットされているか否か判断する。ここで、完了指示フラグＦｅがセットされていると判断すると（Ｓ１０：ＹＥＳ）、当該フィルタ選択処理を終了する。一方、完了指示フラグＦｅがセットされていないと判断すると（Ｓ１０：ＮＯ）、Ｓ２０に処理を移し、Ａ／Ｄ変換器５４の第１Ａ／Ｄ入力ポート５４ａ，第２Ａ／Ｄ入力ポート５４ｂ，第３Ａ／Ｄ入力ポート５４ｃに入力した信号のレベルを検出する。
【００６６】
次にＳ３０にて、第１Ａ／Ｄ入力ポート５４ａに入力した信号の出力レベルが所定値以上であるか否か判断する。ここで、出力レベルが所定値以上であると判断すると（Ｓ３０：ＹＥＳ）、Ｓ４０に移行し、ＲＡＭ５３内に設けられた第１カウンタＣＮＴ１の値をインクリメントする。
【００６７】
そして、Ｓ５０において、第１カウンタＣＮＴ１の値が３以上であるか否か判断する。ここで、第１カウンタＣＮＴ１の値が３以上であると判断すると（５０：ＹＥＳ）、Ｓ６０に移行し、第１〜第３入出力ポート５５ａ〜５５ｃから制御信号を出力することにより、スイッチ１０４をＯＮ，スイッチ１０５およびスイッチ１０６をＯＦＦにする。更に、Ｓ７０において、完了指示フラグＦｅをセットするとともにＲＡＭ５３内に設けられた加算指示フラグＦｐをクリアし、当該フィルタ選択処理を終了する。一方、第１カウンタＣＮＴ１の値が３より小さいと判断すると（Ｓ５０：ＮＯ）、当該フィルタ選択処理を終了する。
【００６８】
また、Ｓ３０に戻り、第１Ａ／Ｄ入力ポート５４ａに入力した信号の出力レベルが所定値より小さいと判断すると（Ｓ３０：ＮＯ）、Ｓ８０に移行する。
そして、Ｓ８０において、第２Ａ／Ｄ入力ポート５４ｂに入力した信号の出力レベルが所定値以上であるか否か判断する。ここで、出力レベルが所定値以上であると判断すると（Ｓ８０：ＹＥＳ）、Ｓ９０に移行し、ＲＡＭ５３内に設けられた第２カウンタＣＮＴ２の値をインクリメントする。
【００６９】
そして、Ｓ１００において、第２カウンタＣＮＴ２の値が３以上であるか否か判断する。ここで、第２カウンタＣＮＴ２の値が３以上であると判断すると（１００：ＹＥＳ）、Ｓ１１０に移行し、第１〜第３入出力ポート５５ａ〜５５ｃから制御信号を出力することにより、スイッチ１０５をＯＮ，スイッチ１０４およびスイッチ１０６をＯＦＦにする。そして、Ｓ１２０において、完了指示フラグＦｅをセットし、Ｓ１３０に移行する。
【００７０】
さらに、Ｓ１３０において、妨害波加減算設定部４９において、加算に設定されているか否か判断する。ここで、加算に設定されていると判断すると（１３０：ＹＥＳ）、Ｓ１４０に移行し、加算指示フラグＦｐをセットし、当該フィルタ選択処理を終了する。一方、加算に設定されていないと判断すると（１３０：ＮＯ）、Ｓ１５０に移行し、加算指示フラグＦｐをクリアし、当該フィルタ選択処理を終了する。
【００７１】
また、Ｓ８０に戻り、第２Ａ／Ｄ入力ポート５４ｂに入力した信号の出力レベルが所定値より小さいと判断すると（Ｓ８０：ＮＯ）、Ｓ１６０に移行する。
そして、Ｓ１６０において、第３Ａ／Ｄ入力ポート５４ｃに入力した信号の出力レベルが所定値以上であるか否か判断する。ここで、出力レベルが所定値以上であると判断すると（Ｓ１６０：ＹＥＳ）、Ｓ１７０に移行し、ＲＡＭ５３内に設けられた第３カウンタＣＮＴ３の値をインクリメントする。
【００７２】
そして、Ｓ１８０において、第３カウンタＣＮＴ３の値が３以上であるか否か判断する。ここで、第３カウンタＣＮＴ３の値が３以上であると判断すると（１８０：ＹＥＳ）、Ｓ１９０に移行し、第１〜第３入出力ポート５５ａ〜５５ｃから制御信号を出力することにより、スイッチ１０６をＯＮ，スイッチ１０４およびスイッチ１０５をＯＦＦにする。更に、Ｓ２００において、完了指示フラグＦｅおよび加算指示フラグＦｐをセットし、当該フィルタ選択処理を終了する。一方、第３カウンタＣＮＴ３の値が３より小さいと判断すると（Ｓ１８０：ＮＯ）、当該フィルタ選択処理を終了する。
【００７３】
次に、制御部５０のＣＰＵ５１が実行する加算・減算選択処理を図７を用いて説明する。図７は加算・減算選択処理を表すフローチャートである。
この加算・減算選択処理はオフセットビートキャンセラ２０ａが起動（電源ＯＮ）している間に繰り返し実行される処理である。
【００７４】
この加算・減算選択処理を実行すると、ＣＰＵ５１は、まずＳ３１０にて、加算指示フラグＦｐがセットされているか否か判断する。ここで、加算指示フラグＦｐがセットされていると判断すると（Ｓ３１０：ＹＥＳ）、Ｓ３２０に処理を移し、第４，第５入出力ポート５５ｄ，５５ｅから制御信号を出力することにより、スイッチ６６ｃをＯＦＦ，スイッチ６６ｄをＯＮにし、当該加算・減算選択処理を終了する。
【００７５】
一方、加算指示フラグＦｐがセットされていないと判断すると（Ｓ３１０：ＮＯ）、Ｓ３３０に処理を移し、第４，第５入出力ポート５５ｄ，５５ｅから制御信号を出力することにより、スイッチ６６ｃをＯＮ，スイッチ６６ｄをＯＦＦにし、当該加算・減算選択処理を終了する。
【００７６】
以上説明したように、本実施形態１のオフセットビートキャンセラ２０ａは、図６のフィルタ選択処理により、映像搬送波の基準周波数の信号成分と基準周波数から所定周波数オフセットされた周波数の信号とをそれぞれ選択的に通過させて出力する第２フィルタ９３，第１フィルタ９２，第３フィルタ９４の出力信号のレベルを検出し、出力レベルが所定値以上である出力信号がＰＬＬ回路１０７に入力するように、スイッチ１０４，１０５，１０６を制御する。
【００７７】
このため、オフセットビートキャンセラ２０ａを取り付ける際に、取付作業者が第１フィルタ９２，第２フィルタ９３，第３フィルタ９４を手動で切り換えるという作業をする必要がないので、簡便にオフセットビートキャンセラを取り付けることができる。
【００７８】
また、図６のＳ１０における処理により、スイッチを選択した後には出力信号のレベル検出を行わないため、オフセットビートキャンセラ２０ａが実行する処理の負荷とその処理にかかる消費電力とを低減することができる。
【００７９】
また、図６のＳ７０とＳ２００における処理および図７の加算・減算選択処理により、希望波の映像搬送波周波数が基準周波数からオフセット周波数ずれている受信地域でオフセットビートキャンセラを使用する際には、加算するか減算の設定を使用者が行う必要がなくなり、設定の手間を減らすことができる。
【００８０】
また、ＵＨＦ選局部３０は、映像中間周波信号に加えて、音声中間周波信号を出力し、ＵＨＦ変調部３６は、妨害波除去部６６にて生成された映像信号と、音声中間周波信号とに基づき、所定放送チャンネルのテレビ放送信号を生成するので、１つのオフセットビートキャンセラ２０ａを用いて、オフセットビートキャンセラ２０ａから出力されるテレビ放送信号を分配器１０（図１参照）により分配することにより、妨害波が除去されたテレビ放送信号を共同受信させることができる。
【００８１】
（実施の形態２）
以下、本発明の実施の形態２について図面と共に説明する。
実施の形態１における図６のフィルタ選択処理および図７の加算・減算選択処理は、実施の形態２と同様である。つまり、実施の形態２におけるオフセットビートキャンセラ２０ｂが実施の形態１のオフセットビートキャンセラ２０ａと異なる点は、テレビ放送受信システムとオフセットビートキャンセラ２０ｂの構成である。
【００８２】
このため実施の形態２におけるフィルタ選択処理および加算・減算選択処理の説明は省略し、以下に、実施の形態２におけるテレビ放送受信システムとオフセットビートキャンセラ２０ｂの構成について説明する。
【００８３】
図８は本発明が適用された第２実施例のテレビ放送受信システム全体の構成を表わす概略構成図である。
実施例１で詳述したテレビ放送受信システムでは、オフセットビートキャンセラ２０ａをブースタ８と分配器１０の間に配置したが（図１参照）、本実施例（実施例２）のオフセットビートキャンセラ２０ｂは、図８に示すように、直列ユニット１２と受信端末１３との間の受信端末１３の近傍に配置している。
【００８４】
次に、オフセットビートキャンセラ２０ｂについて図９を用いて説明する。図９はオフセットビートキャンセラ２０ｂの構成を示す説明図である。
ここでは、本実施例（実施例２）のオフセットビートキャンセラ２０ｂが実施例１のオフセットビートキャンセラ２０ａと同様の箇所については、同一の符号を付して説明を省略し、異なる箇所のみについて詳述する。
【００８５】
図９に示すように、本実施例のオフセットビートキャンセラ２０ｂでは、使用者が受信端末１３を選局操作するリモコンからの選局信号を検知するリモコン受光部５８，分配回路３７，映像出力端子Ｔｖ，音声出力端子Ｔａを更に備えている。
【００８６】
ＵＨＦ選局部３０ｂは、リモコン受光部５８が検知した選局信号に基づいて制御部５０が選局チャンネル制御信号によって指定したＵＨＦ帯で所定放送チャンネルのテレビ放送信号を選局して、映像ＩＦ信号と音声ＩＦ信号と音声信号とを出力する。なお、ＵＨＦ選局部３０ｂは、本発明の選局手段に相当する。
【００８７】
そして、ＵＨＦ選局部３０ｂにて出力された音声ＩＦ信号はＵＨＦ変調部３６に入力し、音声信号は音声信号用の通過経路を介して音声出力端子Ｔａまで伝送される。
分配回路３７は、デジタル処理部３４から出力される映像信号を２分配する。そして、分配回路３７にて分配された一方の映像信号はＵＨＦ変調部３６に入力し、他方の映像信号は映像信号用の通過経路を介して映像出力端子Ｔｖまで伝送される。
【００８８】
以上説明したように、本実施形態２のオフセットビートキャンセラ２０ｂは、制御部５０は、リモコン受光部５１からの選局信号を受けると、ＵＨＦ選局部３０は選局信号に従ってテレビ放送信号を選局し、映像ＩＦ信号と音声信号とを出力し、更にデジタル処理部３４は映像信号を出力する。そして、音声信号は音声出力端子Ｔａまで伝送され、映像信号は映像出力端子Ｔｖまで伝送される。
【００８９】
このため、オフセットビートキャンセラ２０ｂに加え、映像信号と音声信号とを再生可能な受信端末１３を備えるのみで、使用者はテレビ放送を視聴することができる。
以上、本発明の一実施例について説明したが、本発明は上記実施例に限定されるものではなく、種々の態様を採ることができる。
【００９０】
例えば、上記実施例では、デジタル処理部３４において、Ｉ信号を低域成分と高域成分とに分離するものとして説明したが、Ｉ信号は必ずしも分離する必要はなく、単にＡ／Ｄ変換部６１でＡ／Ｄ変換したＩ信号をそのまま遅延処理部で遅延させて、そのＩ信号から妨害波信号成分を除去するようにしてもよい。
【００９１】
また、上記実施例では、妨害波信号成分を除去するためにデジタル処理部３４を用いるものとして説明したが、上述した従来装置のように、映像ＩＦ信号を直交検波することにより得られるＱ信号からアナログフィルタを用いて妨害波信号成分を生成し、この妨害波信号成分を映像ＩＦ信号に対応した周波数にアップコンバートして、そのアップコンバート後の妨害波信号成分を映像ＩＦ信号から除去するようにしてもよい。但し、この場合には、オフセットビートキャンセラの特性が変化することのないよう、オフセットビートキャンセラを、温度変化が小さい環境下で使用する必要はある。
【００９２】
また、上記実施例では、制御部５０は少なくとも３つのＡ／Ｄ入力ポートを備え、第１フィルタ９２，第２フィルタ９３，第３フィルタ９４からの出力信号はそれぞれ異なるＡ／Ｄ入力ポートに入力しているものを示したが、第１フィルタ９２，第２フィルタ９３，第３フィルタ９４からの出力信号を検出するためのＡ／Ｄ入力ポートを１つしか使用できない場合には、例えば図１０に示すように、第１フィルタ９２，第２フィルタ９３，第３フィルタ９４から検波回路１１３に至る経路上の夫々にスイッチ１１０，１１１，１１２を設け、制御部５０は、スイッチ１１０→スイッチ１１１→スイッチ１１２の順にスイッチをＯＮすることにより、第１フィルタ９２，第２フィルタ９３，第３フィルタ９４の夫々の出力信号を順番に検波回路１１３および増幅回路１１４を介してＡ／Ｄ入力ポートに入力することで出力信号レベルを検出し、その検出結果をもとにスイッチ１１０，１１１，１１２の何れかをＯＮするようにしてもよい。
【００９３】
また、上記実施例では、オフセットビートキャンセラ２０ａが起動するとフィルタ選択処理を実行するものを示したが、例えば、フィルタ選択処理を開始するため開始ボタンを備え、開始ボタンが押されるとフィルタ選択処理を実行するようにしてもよい。
【図面の簡単な説明】
【００９４】
【図１】実施の形態１におけるテレビ放送受信システム全体の構成を表す概略構成図。
【図２】実施の形態１におけるオフセットビートキャンセラの構成を表すブロック図。
【図３】実施の形態における直交検波部の構成を表すブロック図。
【図４】実施の形態におけるデジタル処理部の構成を表すブロック図。
【図５】実施の形態における搬送波再生部の構成を表すブロック図。
【図６】実施の形態におけるフィルタ選択処理手順を表すフローチャート。
【図７】実施の形態における加算・減算選択処理手順を表すフローチャート。
【図８】実施の形態２におけるテレビ放送受信システム全体の構成を表す概略構成図。
【図９】実施の形態２におけるオフセットビートキャンセラの構成を表すブロック図。
【図１０】別の実施の形態における搬送波再生部の構成を表すブロック図。
【図１１】実施の形態におけるフィルタの特性を説明する図。
【符号の説明】
【００９５】
２…ＶＨＦアンテナ、４…ＵＨＦアンテナ、６…ＢＳ／ＣＳアンテナ、８…ブースタ、１０…分配器、１２…直列ユニット、１３…受信端末、２０…オフセットビートキャンセラ、２２，４６，８１，８２…ＬＰＦ、２４，２６…ＨＰＦ、２８，３７，７０，７２，７９，９１，９５，９６，９７…分配回路、３０…ＵＨＦ選局部、３２…直交検波部、３４…デジタル処理部、３６…ＵＨＦ変調部、３８…ＢＰＦ、４０…増幅部、４２…混合回路、４４，７１，８３，８４，９０，１０１，１０２，１０３，１１４…増幅回路、４８…出力チャンネル設定部、４９…妨害波加減算設定部、５０…制御部、５１…ＣＰＵ、５２…ＲＯＭ、５３…ＲＡＭ、５４…Ａ／Ｄ変換器、５５…入出力ポート、５７…ＥＥＰＲＯＭ、５８…リモコン受光部、５９…電源部、６０，６１…Ａ／Ｄ変換部、６２，６３，６７…フィルタ部、６４…ビート成分生成部、６５，６８…遅延処理部、６６ａ…減算処理部、６６ｂ…加算処理部、６６ｃ，６６ｄ，１０４，１０５，１０６，１１０，１１１，１１２…スイッチ、６９…加算処理部、６９ａ…Ｄ／Ａ変換部、７３…遅延線、７４…移相器、７５，７６…ミキサ、７７…搬送波再生部、７８…可変移相器、９２…第１フィルタ、９３…第２フィルタ、９４…第３フィルタ、９８，９９，１００，１１３…検波回路、１０７…ＰＬＬ回路、１０８…発振器、Ｔｄｃ…電源入力端子、Ｔｉｎ…入力端子、Ｔｏｕｔ…出力端子、Ｔｖ…映像出力端子、Ｔａ…音声出力端子、ＶＲ…ボリューム。
【図１】
2005045665.tif 000003
【図２】
2005045665.tif 000004
【図３】
2005045665.tif 000005
【図４】
2005045665.tif 000006
【図５】
2005045665.tif 000007
【図６】
2005045665.tif 000008
【図７】
2005045665.tif 000009
【図８】
2005045665.tif 000010
【図９】
2005045665.tif 000011
【図１０】
2005045665.tif 000012
【図１１】
2005045665.tif 000013